(57)【特許請求の範囲】
【請求項１】
下面側が下となる縦置き姿勢で設置する形態と、一側面側が下となる横置き姿勢で設置する形態との二形態での設置が可能な空気清浄器であって、空気を取り込むためのファンおよびモータと空気浄化用のフィルタを収納するハウジングを備え、ハウスダストや花粉粒子などのダストを検知するダストセンサと、臭い成分やガス成分を検知するガスセンサを有した空気清浄器において、ハウジングにカバー部材を取り付けると共に、該カバー部材に設けた円孔部に表面側にダストセンサにより検知した室内のダストによる汚れ度表示とガスセンサにより検知した室内汚れ度表示をする表示部を設けた円状の回転体を回転自在に嵌め込んで支持し、上記縦置き姿勢及び横置き姿勢のいずれの状態でも表示部における表示方向を一定にすることを可能としたことを特徴とする空気清浄器。
【請求項２】
ダストセンサの汚れ度表示か、ガスセンサの汚れ度表示の一方を、７セグメントＬＥＤや液晶表示等のデジタル表示とし、他方をレベル表示としたことを特徴とする請求項１記載の空気清浄器。
【請求項３】
ダストセンサの汚れ度表示か、ガスセンサの汚れ度表示の他方を複数の発光素子によりレベル表示するレベル表示部とすることを特徴とする請求項２記載の空気清浄器。
【請求項４】
ダストセンサの汚れ度表示か、ガスセンサの汚れ度表示の一方をデジタル表示の３桁表示として成ることを特徴とする請求項２記載の空気清浄器。
【請求項５】
デジタル表示の３桁表示により小数点２桁のデジタル表示をすることを特徴とする請求項４記載の空気清浄器。
【請求項６】
片面回路基板にレベル表示用の発光素子を実装し、７セグメントＬＥＤや液晶表示によるデジタル表示部を片面回路基板に実装したＩＣソケット上に構成してデジタル表示部の前面と発光素子の前面とを略面一として成ることを特徴とする請求項３記載の空気清浄器。
【請求項７】
片面回路基板にレベル表示用の発光素子を実装し、７セグメントＬＥＤや液晶表示によるデジタル表示部と片面回路基板との間に絶縁基台を介在させた状態でデジタル表示部の端子を片面回路基板に接続してデジタル表示部の前面と発光素子の前面とを略面一として成ることを特徴とする請求項３記載の空気清浄器。
【請求項８】
ハウジングに回転自在に取付けた円状の回転体に片面回路基板を取付け、この片面回路基板の中央部にデジタル表示部を配置し、デジタル表示部の一側部側にレベル表示部を配置すると共にデジタル表示部の他側部側に電源線に接続するためのコネクタを配置して成ることを特徴とする請求項２記載の空気清浄器。
【請求項９】
ダストセンサの汚れ度表示とガスセンサの汚れ度表示との２種類の表示部の端子および電源供給用のコネクタを同一片面に実装する片面回路基板において、片面回路基板の片面に導電線を形成し、片面回路基板上で導電線間を他の導電線を跨いで配置した０Ωのチップ抵抗で接続して成ることを特徴とする請求項１記載の空気清浄器。
【発明の詳細な説明】
【０００１】
【発明の属する技術分野】
本発明は、空気を浄化するための空気清浄器、特に、縦置き、横置きのいずれの設置状態においても、それぞれの設置状態で使用者が空気の汚れ度を確認することができる空気清浄器に関するものである。
【０００２】
【従来の技術】
従来からハウスダストや花粉粒子などのダストを検知するダストセンサと、臭い成分やガス成分を検知するガスセンサを備え、ダストセンサにより検知した室内のダストによる汚れ度表示と、ガスセンサにより検知した室内汚れ度表示を表示部において行うものが知られている。この汚れ度を表示する表示部は一般的に本体のフィルタ収納部の邪魔にならない位置、つまり、本体上面か、あるいは本体の左右いずれかの面に固定的に配置してある。
【０００３】
また、一般に空気清浄器は室内設置型のものであって、略長方形タイプが主流で、室内の容積に関係なく、床面設置か、あるいは壁掛け設置がほとんどであり、いずれの場合も横置の使用しか考えられておらず、表示部が固定的であるため、仮に、縦置きとした場合には表示部に表示される表示が横に倒れた表示となり、表示部の表示が見にくくて正確に認識できないという問題がある。
【０００４】
また、ダスト表示をデジタル表示で行う場合、従来は２桁の数値表示で、例えば２．０とか０．２とかの表示がなされていた。ところが、環境基準レベルは０．１５ｍｇ以下であり、この環境基準に従い、適切な粉塵濃度表示をして使用者に、正しい粉塵濃度レベルを見せて動作させる必要が発生している。
【０００５】
また、ダストセンサの汚れ度表示と、ガスセンサの汚れ度表示とが同じ表示形態の場合には区別がし難くて、理解しにくいという問題がある。
【０００６】
そこで、本発明者は本発明に至る過程でダストセンサの汚れ度表示と、ガスセンサの汚れ度表示とが異なる表示形態とすることを考えたが、異なる表示形態とする場合、例えば、一方の表示をデジタル表示とし、他方の表示を複数の発光素子によりなるレベル表示とすることが考えられるが、片面回路基板にデジタル表示部の端子と発光素子の端子を片面回路基板の同一面に実装した場合、発光素子の前面がデジタル表示部の前面よりも片面回路基板からの突出長さが長くなり、このため、発光素子の前面がデジタル表示部の前面との間に段差が生じてしまい、表示が見にくいという新たな問題が生じることが判明した。また、片面回路基板を用いる場合、各部品をどのように配置したらコンパクトにできるか、あるいは片面回路基板における回路をどのように形成したらコンパクトにできるかという問題が新たな課題として生まれている。
【０００７】
【発明が解決しようとする課題】
本発明は上記の点に鑑みてなされたものであり、横置きに設置しても縦置きに設置しても室内空気の汚れの表示を正確に見ることができ、また、ダストセンサの汚れ度表示とガスセンサの汚れ度表示との表示形態を変えて見る人がそれぞれの表示を認識しやすくし、また、異なる表示が略同一面で表示されて見やすくし、表示部を回転自在とするに当たって回転する部分のコンパクト化が図れる空気清浄器を提供することを課題とするものである。
【０００８】
【課題を解決するための手段】
上記課題を解決するために本発明に係る空気清浄器は、下面側が下となる縦置き姿勢で設置する形態と、一側面側が下となる横置き姿勢で設置する形態との二形態での設置が可能な空気清浄器７であって、空気を取り込むためのファン１およびモータ２と空気浄化用のフィルタ３を収納するハウジング４を備え、ハウスダストや花粉粒子などのダストを検知するダストセンサ５と、臭い成分やガス成分を検知するガスセンサ６を有した空気清浄器７において、ハウジング４にカバー部材４ａを取り付けると共に、該カバー部材４ａに設けた円孔部３０に表面側にダストセンサ５により検知した室内のダストによる汚れ度表示とガスセンサ６により検知した室内汚れ度表示をする表示部５０を設けた円状の回転体１２を回転自在に嵌め込んで支持し、上記縦置き姿勢及び横置き姿勢のいずれの状態でも表示部５０における表示方向を一定にすることを可能としたことを特徴とするものである。このような構成とすることで、空気清浄器７を横置きに設置しても、縦置きに設置しても、回転体１２をハウジング４に取り付けたカバー部材４ａに対して回転させてダストセンサ５とガスセンサ６とで検知した室内の汚れ度を表示する表示部を回転することで、表示方向を常に一定にすることができるものである。
【０００９】
また、ダストセンサ５の汚れ度表示か、ガスセンサ６の汚れ度表示の一方を、７セグメントＬＥＤや液晶表示等のデジタル表示とし、他方をレベル表示とすることが好ましい。このような構成とすることで、ダストセンサ５の汚れ度表示とガスセンサ６の汚れ度表示とを異なる表示形態により表示することができて、表示部を見る人がそれぞれの表示を区別して認識しやすくなるものである。
【００１０】
また、ダストセンサ５の汚れ度表示か、ガスセンサ６の汚れ度表示の他方を複数の発光素子８によりレベル表示するレベル表示部１３とすることが好ましい。このような構成とすることで、レベル表示部１３を複数の発光素子８により簡単に構成することができる。
【００１１】
また、ダストセンサ５の汚れ度表示か、ガスセンサ６の汚れ度表示の一方をデジタル表示の３桁表示とすることが好ましい。このような構成とすることで、適切な微粉濃度表示を環境基準レベル＝０．１５ｍｇとの比較で３桁で正しく表示できるものである。
【００１２】
また、デジタル表示の３桁表示により小数点２桁のデジタル表示をすることが好ましい。このような構成とすることで、環境基準レベル＝０．１５ｍｇに対応して小数点２桁での正しい表示ができるものである。
【００１３】
また、片面回路基板９にレベル表示用の発光素子８を実装し、７セグメントＬＥＤや液晶表示によるデジタル表示部１０を片面回路基板９に実装したＩＣソケット６０上に構成してデジタル表示部１０の前面と発光素子８の前面とを略面一とすることが好ましい。このような構成とすることで、デジタル表示部１０に比べて発光素子８は前後長さが長いので、単に片面回路基板９にデジタル表示部１０と発光素子８とを実装しただけでは、片面回路基板９の前面とデジタル表示部１０の前面とに段差が生じてしまって、両表示が見にくくなるので、デジタル表示部１０を片面回路基板９に実装したＩＣソケット６０上に配置して接続するように構成することで、デジタル表示部１０の前面と発光素子８の前面とを略面一にしてデジタル表示とレベル表示との異なる表示を見やすくするものである。
【００１４】
また、片面回路基板９にレベル表示用の発光素子８を実装し、７セグメントＬＥＤや液晶表示によるデジタル表示部１０と片面回路基板９との間に絶縁基台１１を介在させた状態でデジタル表示部１０の端子１０ａを片面回路基板９に接続してデジタル表示部１０の前面と発光素子８の前面とを略面一とすることが好ましい。このような構成とすることで、デジタル表示部１０に比べて発光素子８は前後長さが長いので、単に片面回路基板９にデジタル表示部１０と発光素子８とを実装しただけでは、片面回路基板９の前面とデジタル表示部１０の前面とに段差が生じてしまって、両表示が見にくくなるので、デジタル表示部１０と片面回路基板９との間に絶縁基台１１を介在させた状態でデジタル表示部１０の端子１０ａを長く設定して片面回路基板９に接続することで、デジタル表示部１０の前面と発光素子８の前面とを略面一にしてデジタル表示とレベル表示との異なる表示を見やすくするものである。
【００１５】
また、回転自在な円状の回転体１２に片面回路基板９を取付け、この片面回路基板９の中央部にデジタル表示部１０を配置し、デジタル表示部１０の一側部側にレベル表示部１３を配置すると共にデジタル表示部１０の他側部側に電源線に接続するためのコネクタ１４を配置することが好ましい。このような構成とすることで、円状の回転体１２といっしょに回転する片面回路基板９にデジタル表示部１０、レベル表示部１３、コネクタ１４を実装するに当たり、デジタル表示部１０、レベル表示部１３、コネクタ１４を円状の回転体１２の回転軌跡内にコンパクトに配置することができるものである。
【００１６】
また、ダストセンサ５の汚れ度表示とガスセンサ６の汚れ度表示との２種類の表示部の端子および電源供給用のコネクタ１４を同一片面に実装する片面回路基板９において、片面回路基板９の片面に導電線１５を形成し、片面回路基板９上で導電線１５ａ、１５ｂ間を他の導電線１５ｃを跨いで配置した０Ωのチップ抵抗１６で接続することが好ましい。このような構成とすることで、回転する片面回路基板９の片面に立体的に回路を構成して導電線１５の配線パターンの密度を高くできるものであり、これにより回転する片面回路基板９のコンパクト化が図れることになる。
【００１７】
【発明の実施の形態】
以下、本発明を添付図面に示す実施形態に基づいて説明する。
【００１８】
空気清浄器７はハウジング４の前面部にグリル１７を着脱自在に取付けて外殻を構成してあり、ハウジング４内に空気を取り込むためのシロッコファンのようなファン１、ファン１を回転するモータ２、空気浄化用のフィルタ３を収納してある。図１乃至図３は空気清浄器７を縦姿勢にした状態が示してあり、図１乃至図３に示すように、ハウジング４の前面部を構成するグリル１７の一側部には格子部１８ａが設けてあり、また、ハウジング４の一側面部の後部に別の格子部１８ｂが設けてあり、これら格子部１８ａ、１８ｂがファン１の回転による空気取り入れ口１８となっている。また、ハウジング４の他側面部に更に別の格子部３２が設けてあり、この格子部３２ａが浄化された空気の吹き出し口３２となっている。
【００１９】
上記ハウジング４の空気取り入れ口１８を構成する格子部１８ｂを設けたハウジング４の一側面部後部には横置き時のスタンド取付け部１９が設けてある。また、ハウジング本体の下面部（縦置き姿勢における下面部）には縦置き時のスタンド取付け部２０が設けてあり、縦置きに設置して使用する場合には縦置き時のスタンド取付け部２０にスタンド２１を着脱自在に取付けて図１乃至図３のようにして使用するものであり、また、横置きに設置して使用する場合には横置き時のスタンド取付け部１９にスタンド２１を着脱自在に取付けて図６のようにして使用するものである。
【００２０】
縦置きにした姿勢でハウジング４内の下部に相当する箇所に電源回路３９が設けてあり、また、縦置きにした姿勢でハウジング４内の最上部に相当する箇所に制御回路基板４０が設けてある。この制御回路基板４０の形状は、ファン１、フィルタ３等の配置に影響しないところで、最大限の基板スペースを確保するように略Ｔ型形状をしており、制御回路基板４０の前面および外側周部を覆うようにカバー部材４ａがハウジング４に取付けてある。
【００２１】
略Ｔ型形状をした制御回路基板４０の一側方には図４に示すようにハウジング４にハウスダストや花粉粒子などの汚れ物質であるダストを検出するためのダストセンサ５が取付けてあり、図示を省略しているがこのダストセンサ５は上記制御回路基板４０にコネクタにより接続してある。
【００２２】
制御回路基板４０には図３、図５、図１２に示すように人体感知センサ２３、リセットボタン２４、フィルタ交換表示ランプ２５、電極洗浄ランプ２６、タイマ表示用ＬＥＤ２７、タイマ切り釦２８、臭い成分やガス成分を検知するガスセンサ６、風量切替釦２９が配置してあり、更に、制御回路基板４０の人体感知センサ２３と反対側の端部側にはダストセンサ５により検知した室内のダストによる汚れ度表示と、ガスセンサ６により検知した室内汚れ度表示をする表示部５０が設けてあり、表示部５０は制御回路板４０の孔７０に対して回転自在に挿入してある。これらの人体感知センサ２３、リセットボタン２４、フィルタ交換表示ランプ２５、電極洗浄ランプ２６、タイマ表示用ＬＥＤ２７、タイマ切り釦２８、ガスセンサ６、風量切替釦２９、表示部５０等はカバー部材４ａの表面側から操作したり、あるいは視認したり、あるいはガスが通過できるように、カバー部材４ａの表面に露出したり、あるいは、光透過可能としたり、あるいはガス透過可能としてある。
【００２３】
ハウジング４の前方開口には図１に示すようにグリル１７が着脱自在に取付けられるが、このグリル１７には縦置き状態で上部に横長の半透明の操作パネル２２が着脱自在に取付けてある。そして、縦置き状態でハウジング４の最上部に前述のように横一列に配置されたダストセンサ５と、制御回路基板４０や表示部を覆うカバー部材４ａとが、図１、図４に示すように縦置き姿勢で横長の操作パネル２２により覆われるものである。
【００２４】
この場合、横長の操作パネル２２の一端部にはスリット状の孔部４１が形成してあり、この孔部４１がグリル１７に設けた空気取り入れ口１８を構成する格子部１８の近くに配置してあって、空気取り入れ口１８の近くで吸引される空気に乗ったハウスダストや花粉粒子などの汚れ物質であるダストを、ダストセンサ５が検知しやすいものとしてある。
【００２５】
横長の操作パネル２２の略中央部には半球状凹部が設けてあって、この半球状凹部の底に孔４２が形成してあって、この孔４２に制御回路基板４０に取付けられてカバー部材４ａの表面に露出した人体感知センサ２３が配置してある。人体感知センサ２３は赤外線センサのようなものであり、人体感知センサ２３で人体を感知すると感知信号が制御部に送られて空気清浄器７を運転し、人体の感知が無くなると空気清浄器７の運転を停止するように制御される。人体感知センサ２３を上記のように操作パネル２２の略中央部（空気清浄器７の正面の巾方向の略中央部）に配置することで、空気清浄器７を縦置きに設置しても、横置きに設置しても人体感知センサ２３が略中央部に位置して左右、上下とも最も人体の検知がしやすいものである。
【００２６】
リセットボタン２４、タイマ切り釦２８、風量切替釦２９は操作パネル２２の表面側からの操作で操作できるようになっており（例えばタッチスイッチ構造等）、また、フィルタ交換表示ランプ２５、電極洗浄ランプ２６、タイマ表示用ＬＥＤ２７、表示部は操作パネル２２の前方から視認できるように少なくとも操作パネル２２の該当個所は透明又は半透明又は開口を形成することで透視可能となっている。
【００２７】
リセットボタン２４は、フィルター交換表示ランプ２５が点灯したとき、このリセットボタン２４を押すことにより、消灯する事ができるようになっている。また、電極洗浄ランプ２６はこの電極洗浄ランプ２６が点灯したら、グリル１７を外して、後述する内部のプラズマ電極を洗浄する。プラズマ電極を洗浄すれば、電極洗浄ランプ２６は自動的に消灯するようになっている。タイマ表示用ＬＥＤ２７はタイマ表示時間の残時間を表示するものであり、タイマ切り釦２８を押してタイマ運転時間の残時間表示を（１，２，３，４）→オフというようにセツトできるものである。また、風量切替釦２９を押すことで運転モードを自動モード、静音運転モード、弱運転モード、標準運転モード、急速運転モード、オフという順番で切り替えることが出来るようになっている。また、タイマおよび風量切替は付属のリモコンでも操作可能になっている。
【００２８】
操作パネル２２のタイマ切り釦２８を操作する箇所と風量切替釦２９を操作する箇所との間に小さな格子が形成されている箇所がガスセンサ（臭いセンサを含む）６に対応する箇所であり、この操作パネル２２のガスセンサ６に対応する箇所に小さな格子状をした孔４３が設けてあり、ガスセンサ６は比較的拡散性の強い成分を検知するので、比較的小さな格子状をした孔４３であっても、充分な検知感度が得られるものであり、このため、前述のダストセンサ５や人体感知センサ２３と比べると空気清浄器７の構成上自由な位置に配置しても、検知感度には影響はすくない。従って、粉塵、人感、ガスの検知に必要な3種類のセンサーを、空気取り入れ口１８を構成する格子部１８に近い方から、順番に(ダストセンサ５、人体感知センサ２３、ガスセンサ６と略直線上に配置して、本発明の空気清浄器７を構成するものである。このようにダストセンサ５、人体感知センサ２３、ガスセンサ６とを略直線上に配置するに当たって、前述のように制御回路基板４０を略Ｔ型形状として略Ｔ型形状の上横片部分に人体感知センサ２３、ガスセンサ６を略直線上に配置することで対応することができるものである。
【００２９】
操作パネル２２のダストセンサ５に対応する部位側と反対側の端部はダストセンサ５により検知した室内のダストによる汚れ度表示と、ガスセンサ６により検知した室内汚れ度表示をする表示部５０に対応していて汚れ度表示面５１となっており、この汚れ度表示面５１部分も前述のように奧の表示部５０を前方から透視して見ることができるようになっている。そして、この表示部５０に対応した汚れ表示面５１は、空気清浄器７の前述の横置き時のスタンド取付け部１９を設けた側とは反対側の端部側に位置しており、これにより空気清浄器７を横置きにしたとき、汚れ度表示面５１が空気清浄器７の上部に配置することができるものである。
【００３０】
本発明において表示部５０における表示形態がダストセンサ５の汚れ度表示とガスセンサ６の汚れ度表示とで異なる表示形態となっている。すなわち、ダストセンサ５の汚れ度表示か、ガスセンサ６の汚れ度表示のいずれか一方を、７セグメントＬＥＤや液晶表示等のデジタル表示とし、他方をレベル表示としてある。添付図面に示す実施形態ではダストセンサ５の汚れ度表示をする表示部が、７セグメントＬＥＤや液晶表示等のデジタル表示によってデジタル表示するデジタル表示部１０となっており、また、ガスセンサ６の汚れ度表示をする表示部が複数の発光素子８によりレベル表示するレベル表示部１３となっている。デジタル表示部１０は３桁のデジタル表示となっており、更に、この３桁のデジタル表示は小数点２桁のデジタル表示となっている。つまり、適切な微粉濃度表示を環境基準レベル＝０．１５ｍｇとの比較で、例えば０．１５ｍｇや１．０５ｍｇや０．０５ｍｇというように小数点２桁を表示する３桁のデジタル表示となっていて、上記環境基準レベルとの対比が明確に理解できるようにしてある。
【００３１】
また、複数の発光素子８によりレベル表示するレベル表示部１３は、複数の発光素子８の点灯数の数によりガスセンサ６の汚れ度表示を行うものであり、例えば、複数の発光素子８の点灯数が多ければ汚れ度が高く、点灯数が少なければ汚れ度が低い表示とするものである（あるいはこれと逆でもよい）。
【００３２】
図７に示すように、制御回路基板４０の一端部側に配置されたデジタル表示部１０、レベル表示部１３よりなる表示部５０は制御回路基板４０を覆うカバー部材４ａに対して回転自在に取付けてある円状の回転体１２に設けてある。カバー部材４ａの円孔部３０に回転体１２の外側周部の前部の回転支持部１２ａを回転自在に嵌め込んで支持してある。回転体１２の外側周部の後部に回転支持部１２ａよりも大径の回転操作部１２ｂの一部がカバー部材４ａの側面の開口５２から外方に突出しており、この回転操作部１２ｂの外周面にはローレット加工部や指かかり部等の凹凸が形成してあり、回転操作部１２ｂに指を当てて操作することで回転体１２を回転してデジタル表示部１０、レベル表示部１３よりなる表示部を回転できるようになっており、これにより空気清浄器７を図１に示すように縦置きに設置した場合、図６に示すように横置きに設置した場合のいずれにおいても回転体１２を回転して表示方向を常に一定にすることができるようになっている。回転体１２の回転操作はグリル１７を外して行うものである。
【００３３】
回転体１２の背部の外側周部内には回路基板が配設してあって回転体１２に取付けてある。回路基板としては基板の片面側に回路を形成した片面回路基板９や基板の両面に回路を形成した両面回路基板が用いられる。図５、図７には片面回路基板９を用いた例を示してあり、片面回路基板９の回路を形成した片面側にデジタル表示部１０と、レベル表示部１３を構成する複数の発光素子８と、電源線に接続するためのコネクタ１４が実装してある。ここで、この片面回路基板９の片面の中央部にデジタル表示部１０を配置し、デジタル表示部１０の一側部側にレベル表示部１３を配置すると共にデジタル表示部１０の他側部側にコネクタ１４を配置するという配置になっている。このようにハウジング４に回転自在に取付けた円状の回転体１２に片面回路基板９を取付け、この片面回路基板９の中央部にデジタル表示部１０を配置し、デジタル表示部１０の一側部側にレベル表示部１３を配置すると共にデジタル表示部１０の他側部側に電源線に接続するためのコネクタ１４を配置することで、円状の回転体１２といっしょに回転する片面回路基板９にデジタル表示部１０、レベル表示部１３、コネクタ１４を実装するに当たり、デジタル表示部１０、レベル表示部１３、コネクタ１４を円状の回転体１２の回転軌跡内にコンパクトに配置することができ、これにより回転自在な表示部５０の主体を構成する回転体１２自体もコンパクトできるものである。
【００３４】
ところで、７セグメントＬＥＤや液晶表示によるデジタル表示部１０と発光素子８とを比較した場合、デジタル表示部１０は薄くて前後長さが短く、発光表示素子８の方がデジタル表示部１０よりも前後長さが長い（なお７セグメントＬＥＤの場合にはＬＥＤが横向きになっているのでデジタル表示部１０自体が薄くなる）ので、単に片面回路基板９の片面にデジタル表示部１０の端子１０ａと発光表示素子８の端子８ａとをハンダ付けして実装することで搭載した場合には、片面回路基板９の前面とデジタル表示部１０の前面とに段差が生じてしまって、両表示が見にくくなる。したがって、図５、図７（ｂ）に示す実施形態では片面回路基板９の回路を形成した方の片面にＩＣソケット６０を実装し、このＩＣソケット６０にデジタル表示部１０の端子を挿入して接続するように構成してある。このようにして片面回路基板９にＩＣソケット６０を介してデジタル表示部１０を搭載することで、図５、図７（ｂ）のようにデジタル表示部１０の前面と発光素子８の前面とを略面一にし、これによりデジタル表示とレベル表示との異なる表示を見やすくしてある。
【００３５】
また、図９に示す実施形態では、片面回路基板９の片面の回路を形成した方にレベル表示用の発光素子８の端子８ａを半田付けして実装し、デジタル表示部１０と片面回路基板９との間に絶縁基台１１を介在させた状態でデジタル表示部１０の端子１０ａを片面回路基板９に半田付けして実装することで、デジタル表示部１０の前面と発光素子８の前面とを略面一にし、これによりデジタル表示とレベル表示との異なる表示を見やすくしてある。このものではあらかじめデジタル表示部１０の端子１０ａを前述のＩＣソケット６０を介在させる場合に比べて長く構成しておくものである。
【００３６】
ところで、片面回路基板９を使用する際、片面回路基板９の片面にすべての回路を形成するのであるが、片面回路基板９の面積を小さくし、小さな片面回路基板９の片面に高密度で回路を形成できるように本発明においては以下のような構成としている。
【００３７】
すなわち、ダストセンサ５の汚れ度表示とガスセンサ６の汚れ度表示との２種類の表示部の端子および電源供給用のコネクタ１４を同一片面に実装する回転可能な片面回路基板９において、図１０（ｂ）、図１１に示すように、片面回路基板９の絶縁性を有する基板部９ａに導電線１５を構成する回路パターンを形成するのであるが、この場合、導電線１５ａと導電線１５ｂとの間を他の導電線１５ｃを跨いで０Ωのチップ抵抗１６で接続するものである。このように、回転する片面回路基板９の片面においてチップ抵抗１６を用いて回路を立体交差にして形成することで導電線１５の配線パターンの密度を高くできるものであり、これにより回転する片面回路基板９のコンパクト化が図れることになる。上記のようにして密に形成される回路パターンの上には回路パターンのランドに対応して図１０（ｃ）に示すように半田よりなる接続部３１が形成され、この接続部３１に図１０（ａ）に示すデジタル表示部１０の端子や発光素子８の端子が半田付けにより接続されるものである。
【００３８】
また、回路基板を上記のように片面回路基板９を使用せず、両面に回路が形成された両面回路基板を使用する場合には、両面回路基板の片面に前後長さの薄い（短い）デジタル表示部１０を配置して当該片面側の回路にデジタル表示部１０の端子を半田付けして実装し、また、前後長さが長い発光素子８をデジタル表示部１０を実装した方と同じ面に配置し、該発光素子８の端子８ａを両面回路基板のスルホールに挿通して半田付けして実装することで、前述のようにＩＣソケット６０や絶縁基台１１を設けることなくデジタル表示部１０の前面と発光素子８の前面とを略面一にすることができるものであり、ＩＣソケット６０や絶縁基台１１を設ける必要がないので、構成が簡略化され部品点数も少なくでき、また、両面回路基板の他の片面側にコネクタ１４を実装することで、両面回路基板のデジタル表示部１０と発光素子８とを配設した側の片面にコネクタ１４を配設する必要がなく、その分回路基板の面積を小さくできてコンパクト化が図れるものである。
【００３９】
次に、本発明の空気清浄器７の内部構造につき図３に基づいて説明する。ハウジング４内に内装したファン１はシロッコファンよりなり、縦置きの状態で説明すると、前面および一側面に設けた格子部１８ａ、１８ｂよりなる空気取り入れ口１８から空気を吸い込み、遠心方向に吹きだしてハウジング４の他側面の格子部３２ａよりなる空気の吹き出し口３２から空気を排出するようになっている。
【００４０】
ファン１を構成するシロッコファン内部には、アルミのインサートボス３３が設けてあり、その内部に延長軸３４が貫挿してある。延長軸３４とファン１の固定はムシネジのようなネジにより締め付け固定してある。このシロッコファンは左右に２個設けてある。延長軸３４の両端は、ベアリング軸受け３５で保持してあり、カップリング３６を介して、モータ２のモータ軸２ａにムシネジのようなネジで連結固定してある。ハウジング本体内のファン１ヘの風の流れの上流側には空気浄化用のフィルタ３を収納されるが、このフィルタ３は例えばプラズマ用フィルタ（プラズマヘパフィルタ）であり、内部にプラズマ消臭剤および活性炭を有している。このプラズマ用フィルタ３の上流側にはプラズマ電極部３７が設けてある。もちろん、本発明において、フィルタ３としては上記の実施形態に限定されず、公知の種々の形態のフィルタが使用できるものである。
【００４１】
フィルタ３の上流側にはプレフィルタ３８が設けてある。
【００４２】
そして、ファン１を回転することで、格子部１８ａ、１８ｂよりなる空気取り入れ口１８から空気を吸い込み、プレフィルタ３８、フィルタ３で空気を浄化し、浄化した空気を吹き出し口３２から空気を排出し、これにより室内循環風をつくり、室内空気を清浄化していく。
【００４３】
なお、グリル１７に対して着脱自在に取付けた操作パネル２２は図１４、図１５のように、縦置き用と横置き用との２種類があり、説明の文字等の向きが縦置き用と横置き用とで異なっている。したがって、図１のような縦置きの場合には縦置き用の操作パネル２２をグリル１７に対して取付け、また、図６のように横置きの場合には横置き用の操作パネル２２をグリル１７に取付けるものである。これにより縦置き、横置きのいずれの場合でも説明の文字の方向が正しい方向となる。
【００４４】
なお、スタンド取付け部２０又はスタンド取付け部１９のいずれかにスタンド２１を取付けて、図１のような縦置きや図６のような横置きで設置するのであるが、上記スタンド２１は図１３に示すように、スタンド取付け部２０又はスタンド取付け部１９に嵌め込むための上方に突出した脚部２１ａ間に弧状をしたガイド凹み２１ｂが形成してあり、このような構成とすることで、図６のように横置きとした場合でもハウジング本体の一側面部の格子部１８ｂよりなる空気取り入れ口１８部分に形成したスタンド取付け部１９にスタンド２１を取付けても空気取り入れ口１８をスタンド２１で塞ぐことがなく、弧状をしたガイド凹み２１ｂにガイドされて空気取り入れ口１８に吸い込み風をスムーズに導入できるようにしてある。もちろん、縦置きの場合にはスタンドで空気取り入れ口１８をいっさい塞ぐことがないものである。
【００４５】
【発明の効果】
上記のように本発明の請求項１記載の発明にあっては、下面側が下となる縦置き姿勢で設置する形態と、一側面側が下となる横置き姿勢で設置する形態との二形態での設置が可能な空気清浄器であって、空気を取り込むためのファンおよびモータと空気浄化用のフィルタを収納するハウジングを備え、ハウスダストや花粉粒子などのダストを検知するダストセンサと、臭い成分やガス成分を検知するガスセンサを有した空気清浄器において、ハウジングにカバー部材を取り付けると共に、該カバー部材に設けた円孔部に表面側にダストセンサにより検知した室内のダストによる汚れ度表示とガスセンサにより検知した室内汚れ度表示をする表示部を設けた円状の回転体を回転自在に嵌め込んで支持し、上記縦置き姿勢及び横置き姿勢のいずれの状態でも表示部における表示方向を一定にすることを可能としたので、空気清浄器を横置きに設置しても、縦置きに設置しても、回転体をハウジングに取り付けたカバー部材に対して回転させてダストセンサとガスセンサとで検知した室内の汚れ度を表示する表示部を回転することにより、簡単に表示方向を一定にすることができるものであって、いずれも設置の場合であっても表示が見やすいものである。
【００４６】
また、請求項２記載の発明の発明にあっては、上記請求項１記載の発明にあっては、ダストセンサの汚れ度表示か、ガスセンサの汚れ度表示の一方を、７セグメントＬＥＤや液晶表示等のデジタル表示とし、他方をレベル表示としたので、ダストセンサの汚れ度表示とガスセンサの汚れ度表示とを異なる表示形態により表示することができて、表示部を見る人がそれぞれの表示を区別して認識しやすくなって、ダストセンサの汚れ度表示とガスセンサの汚れ度表示とを区別してそれぞれの表示内容を正確に判断することができるものである。
【００４７】
また、請求項３記載の発明にあっては、上記請求項２記載の発明の効果に加えて、ダストセンサの汚れ度表示か、ガスセンサの汚れ度表示の他方を複数の発光素子によりレベル表示するレベル表示部とするので、レベル表示部を複数の発光素子により簡単に構成することができるものである。
【００４８】
また、請求項４記載の発明にあっては、上記請求項２記載の発明の効果に加えて、ダストセンサの汚れ度表示か、ガスセンサの汚れ度表示の一方をデジタル表示の３桁表示としてあるので、適切な微粉濃度表示を環境基準レベル＝０．１５ｍｇとの比較で３桁で正しく表示することができて、使用者に空気の汚れ度を正確に認識させることができるものである。
【００４９】
また、請求項５記載の発明にあっては、上記請求項４記載の発明の効果に加えて、デジタル表示の３桁表示により小数点２桁のデジタル表示をするので、環境基準レベル＝０．１５ｍｇに対応して小数点２桁での正しい表示ができて、よりいっそう使用者に空気の汚れ度を正確に認識させることができるものである。
【００５０】
また、請求項６記載の発明にあっては、上記請求項３記載の発明の効果に加えて、片面回路基板にレベル表示用の発光素子を実装し、７セグメントＬＥＤや液晶表示によるデジタル表示部を片面回路基板に実装したＩＣソケット上に構成してデジタル表示部の前面と発光素子の前面とを略面一としてあるので、前後方向の長さが異なるデジタル表示部と発光素子とを、デジタル表示部と片面回路基板との間にＩＣソケットを配置するという簡単な構成で、デジタル表示部の前面と発光素子の前面とを略面一にしてデジタル表示とレベル表示との異なる表示を見やすくすることができるものである。
【００５１】
また、請求項７記載の発明にあっては、上記請求項３記載の発明の効果に加えて、片面回路基板にレベル表示用の発光素子を実装し、７セグメントＬＥＤや液晶表示によるデジタル表示部と片面回路基板との間に絶縁基台を介在させた状態でデジタル表示部の端子を片面回路基板に接続してデジタル表示部の前面と発光素子の前面とを略面一としてあるので、前後方向の長さが異なるデジタル表示部と発光素子とを、デジタル表示部と片面回路基板との間に絶縁基台を配置するという簡単な構成で、デジタル表示部の前面と発光素子の前面とを略面一にしてデジタル表示とレベル表示との異なる表示を見やすくすることができるものである。
【００５２】
また、請求項８記載の発明にあっては、上記請求項２記載の発明の効果に加えて、ハウジングに回転自在に取付けた円状の回転体に片面回路基板を取付け、この片面回路基板の中央部にデジタル表示部を配置し、デジタル表示部の一側部側にレベル表示部を配置すると共にデジタル表示部の他側部側に電源線に接続するためのコネクタを配置してあるので、円状の回転体といっしょに回転する片面回路基板にデジタル表示部、レベル表示部、コネクタを実装するに当たり、デジタル表示部、レベル表示部、コネクタを円状の回転体の回転軌跡内にコンパクトに配置することができて、回転する表示部のコンパクト化ができて、回転するものであるにも係わらず場所を取らない構成とできるものである。
【００５３】
また、請求項９記載の発明にあっては、上記請求項１記載の発明の効果に加えて、ダストセンサの汚れ度表示とガスセンサの汚れ度表示との２種類の表示部の端子および電源供給用のコネクタを同一片面に実装する片面回路基板において、片面回路基板の片面に導電線を形成し、片面回路基板上で導電線間を他の導電線を跨いで配置した０Ωのチップ抵抗で接続してあるので、回転する片面回路基板の片面に立体交差した回路を構成できて、導電線の配線パターンの密度を高くできるものであり、これにより回転する片面回路基板をよりコンパクト化できるものである。
【図面の簡単な説明】
【図１】本発明の空気清浄器を縦置きした状態を示し、（ａ）は水平断面図であり、（ｂ）正面図である。
【図２】同上の空気清浄器を縦置きした状態を示し、（ａ）は左側面図であり、（ｂ）は右側面図である。
【図３】同上の正面断面図である。
【図４】同上の操作パネル部分を示し、（ａ）は正面図であり、（ｂ）は断面図であり、（ｃ）は一部切欠平面図である。
【図５】同上の操作パネルの断面図である。
【図６】同上の空気清浄器を横置きした状態を示す正面図である。
【図７】同上の表示部を示し、（ａ）は正面図であり、（ｂ）は断面図である。
【図８】同上の表示部を９０°回転した状態を示す正面図である。
【図９】同上の表示部の他の例を示す断面図である。
【図１０】（ａ）は表示部の平面図であり、（ｂ）は片面回路基板の回路パターンの例を示す平面図であり、（ｃ）は回路パターンの上にランドに対応して形成した接続部を示す平面図である。
【図１１】片面回路基板上で導電線間を他の導電線を跨いで配置した０Ωのチップ抵抗で接続した部分の断面図である。
【図１２】同上に用いる制御回路基板と回動体とを示す分解正面図である。
【図１３】同上に用いるスタンドを示し、（ａ）は平面図であり、（ｂ）は正面図であり、（ｃ）は側面図である。
【図１４】同上に用いる操作パネルを示し、縦置き用の操作パネルの正面図である。
【図１５】同上に用いる操作パネルを示し、横置き用の操作パネルの正面図である。
【符号の説明】
１  ファン
２  モータ
３  フィルタ
４  ハウジング
５  ダストセンサ
６  ガスセンサ
７  空気清浄器
８  発光素子
９  片面回路基板
１０  デジタル表示部
１０ａ  端子
１１  絶縁基台
１２  回転体
１３  レベル表示部
１４  コネクタ
１５  導電線
１５ａ  導電線
１６  ０Ωのチップ抵抗
【図１】
0003697950.tif 000002
【図２】
0003697950.tif 000003
【図３】
0003697950.tif 000004
【図４】
0003697950.tif 000005
【図５】
0003697950.tif 000006
【図６】
0003697950.tif 000007
【図７】
0003697950.tif 000008
【図８】
0003697950.tif 000009
【図９】
0003697950.tif 000010
【図１０】
0003697950.tif 000011
【図１１】
0003697950.tif 000012
【図１２】
0003697950.tif 000013
【図１３】
0003697950.tif 000014
【図１４】
0003697950.tif 000015
【図１５】
0003697950.tif 000016